Podtech/llm-jp-corpus-v4-ja_patent huggingface dataset:
(57)【要約】      （修正有）【課題】マスクを装着した状態でも、容易に飲食を行うことができるマスクを提供する。【解決手段】マスク１は、鼻及び口周囲を覆う長尺用の布本体２と、布本体の両端部３に装着された耳掛４とで形成され、布本体の長手方向であって、口周囲に配設される箇所に開閉自在のファスナー１０を装着したことを特徴とする。またファスナーは、布本体と識別可能な色彩で形成されている。【選択図】図１
0003231735.tif 000002
【実用新案登録請求の範囲】
【請求項１】
鼻及び口周囲を覆う長尺用の布本体と、該布本体の両端部に装着された耳掛とで形成されるマスクにおいて、前記布本体の長手方向であって、口周囲に配設される箇所に開閉自在のファスナーを装着したことを特徴とするマスク。
【請求項２】
前記ファスナーは、布本体と識別可能な色彩で形成されている請求項１記載のマスク。
【考案の詳細な説明】
【技術分野】
【０００１】  本考案は、マスクを装着した状態においても、容易に飲食を行うことができるマスクに関する。
【背景技術】
【０００２】  顔の鼻や口周辺を覆うマスクは、防寒対策、花粉症対策、風邪対策、ウイルス対策、防塵対策等に幅広く使用されている。またデザイン的において、主に綿織物を使用した平型マスク、また前面がプリーツ状で顔前面にフィットし、圧迫感を与えにくいプリーツ型マスク、さらに人間の顔に合わせてデザインされ、顔前面に隙間なくフィットする立体型マスク等がある。【０００３】  しかし一般的なマスクは、飲食をする際、耳掛けを耳から外して取り外したり、布部分を喉付近までずらしたりする必要がある。また飲食後は、布部分を鼻や口周囲を覆うように装着していた。【０００４】  また、上述の問題を解消するために、喫煙と食事用のマスクがある（例えば特許文献１参照）。【０００５】  上掲特許文献１の喫煙と食事用のマスクは、空気中の汚染物質を濾過するために用いられ、使用者の口の位置に対応する位置に第一穴を有する第一マスクと、前記第一マスクの左右両側にそれぞれ連結される２つのゴムひもと、を備え、前記第一穴はたばこまたはストローを挿入するために用いられることを特徴とする。
【先行技術文献】
【特許文献】
【０００６】
【特許文献１】実用新案登録第３２２８５８３号公報
【考案の概要】
【考案が解決しようとする課題】
【０００７】  上掲特許文献１の喫煙と食事用のマスクは、マスクを装着した状態で喫煙したり飲みものを飲んだりすることはできるが、食事する際には、結合構成を分離させる必要が生じる。【０００８】  そこで本考案は上記の点に鑑み、マスクを装着した状態でも、簡単な操作で容易に飲み物や食事を行うことができるマスクを提供することにある。
【課題を解決するための手段】
【０００９】  上記課題を解決するために、本考案のマスクは、鼻及び口周囲を覆う長尺用の布本体と、該布本体の両端部に装着された耳掛とで形成されるマスクにおいて、前記布本体の長手方向であって、口周囲に配設される箇所に開閉自在のファスナーを装着したことを特徴とする。【００１０】  また前記ファスナーは、布本体と識別可能な色彩で形成されている。
【考案の効果】
【００１１】  布本体の長手方向であって、口周囲に配設される箇所に開閉自在のファスナーを装着したことにより、ファスナーをスライドさせ開口することで、マスクを装着した状態でも容易に飲食を行うことができる。
【図面の簡単な説明】
【００１２】
【図１】  本考案のマスクの正面図である。
【図２】  前記マスクの側面図である。
【図３】  マスクを装着した状態の正面図である。
【図４】  喫煙する状態の使用例である。
【図５】  飲み物を飲む状態の使用例である。
【図６】  食事をする際の使用例である。
【考案を実施するための形態】
【００１３】  本考案のマスクは、マスクを装着した状態でも、容易に飲食をすることができることを特徴とする。
以下、本考案のマスクの実施の形態を図面に基づいて説明する。
【００１４】  図１に示すマスク１は、鼻ａ及び口ｂの周囲を覆う長尺用の布本体２と、該布本体２の両端部３に装着された耳掛４とで形成される。
【００１５】  布本体２は、織布等の素材で形成されており、人間の顔に合わせてデザインされ、顔前面に隙間なくフィットされる立体マスク形状を呈している。また、布本体２の中央上部には、鼻周辺に生じる隙間をなくすための形状保持ワイヤー５が配設されている。
【００１６】  また布本体２の両端部３には、耳掛４が設置されている。かかる耳掛４は紐、若しくは伸縮性を有するゴム紐等で形成されており、布本体２の両端部３内を摺動自在に収容されている。
【００１７】  また特に、前記布本体２の長手方向であって、口ｂの周囲に配設される箇所には、開閉自在のファスナー１０が装着されている。ファスナー１０は、特に限定されるものではなく、摘１１を摺動することにより開閉できる市販のファスナーが好適に使用される。
【００１８】  また前記ファスナー１０は、前記布本体２と識別可能な色彩で形成されていることが好ましい。ファスナー１０を識別力のある色彩にて形成することで、図示するように、マスク装着時に、ファスナー１０が交角の上がった笑顔を醸し出す視覚的効果を発揮する。
【００１９】  次に、図３乃至図６に基づいて、本考案のマスクの使用状態を説明する。
図３は、通常のように、本考案のマスク１を防寒対策、花粉症対策、風邪対策、ウイルス対策、防塵対策等に装着した状態を示す。
【００２０】  図４は、喫煙できるようにファスナー１０の摘１１を少し摺動させ、開口部１２よりタバコ６を銜えた状態を示す。
【００２１】  図５は、ファスナー１０の摘１１をさらに摺動させ、開口部１２からストロー７を使い、飲み物を飲用する状態を示す。
【００２２】  図６は、ファスナー１０の摘１１をさらに摺動させ、開口部１２を全開にした状態を示す。このことにより、口ｂは完全に露出され、通常の様に食事を行うことができる状態となる。
【００２３】  上述の如く本考案のマスク１は、布本体２の長手方向であって、口ｂ周囲に配設される箇所に開閉自在のファスナー１０を装着したことにより、ファスナー１０を開口することで、マスク１を装着した状態でも容易に飲食を行うことができる。
【符号の説明】
【００２４】１    マスク
２    布本体
３    両端部
４    耳掛
５    形状保持ワイヤー
６    開口部
７    タバコ
８    ストロー
１０  ファスナー
１１  摘
ａ    鼻
ｂ    口
【図１】
0003231735.tif 000003
【図２】
0003231735.tif 000004
【図３】
0003231735.tif 000005
【図４】
0003231735.tif 000006
【図５】
0003231735.tif 000007
【図６】
0003231735.tif 000008
(57)【要約】      （修正有）【課題】踏板面の移動を利用した動きを伴うより高い訴求力のある注意喚起の機能を有するエスカレーターの注意喚起用ミラーシートを提供する。【解決手段】エスカレーターの乗降口の下部両内側の側面に、ホログラムシートやストライプ柄などの糊付きのミラーシート２を貼る。ミラーシートに、踏板面の端部の黄色のラインが反射像として映り込み、踏板の移動と共に反射像も動くことで、より高い訴求力が得られる。【選択図】図１
0003231732.tif 000002
【実用新案登録請求の範囲】
【請求項１】
エスカレーターの乗降口の下部両内側の側面に、ホログラムシートやストライプ柄などの糊付きのミラーシートを貼る、以上を特徴とするエスカレーターの注意喚起用ミラーシート。
【考案の詳細な説明】
【技術分野】
【０００１】  本発明は、エスカレーターの乗降口の下部両内側の側面に貼ることで、踏板面の端部での巻き込み、逆方向からの進入、転倒などの事故防止対策として、注意喚起を促すことが可能な器具に関するものである。
【背景技術】
【０００２】  従来、エスカレーターの乗降口の下部両内側の側面等には、踏板面の端部での巻き込み、逆方向からの進入、転倒などの事故防止対策として、安全標識としての注意書きステッカーや、足元を照らす照明器具が取り付けられているのが一般的であった。
【考案の概要】
【考案が解決しようとする課題】
【０００３】  これは、次のような問題点があった。
安全標識としての注意書きステッカーや、足元を照らす照明器具は、静止しているので、目に留まりにくく、見逃してしまうことがあり、訴求力に欠けていた。
本発明は以上の問題点を解決するとともに、踏板面の移動を利用した動きを伴うより高い訴求力のある注意喚起の機能を提供するものである。
【課題を解決するための手段】
【０００４】  エスカレーターの乗降口の下部両内側の側面に、ホログラムシートやストライプ柄などの糊付きのミラーシートを貼る。
以上を特徴とするエスカレーターの注意喚起用ミラーシートである。
【考案の効果】
【０００５】（イ）エスカレーターの乗降口の下部両内側の側面に貼ったホログラムシートやストライ    プ柄などの糊付きのミラーシートに、踏板面の端部の黄色のラインが反射像として映    り込み、踏板の移動と共に、その反射像も動くことで、訴求力のある注意喚起の機能    を提供する。
【図面の簡単な説明】
【０００６】
【図１】本発明の取付状態を示す全体斜視図である。
【図２】本発明の取付状態を示す全体斜視図である。
【図３】本発明の取付方法を示す部分斜視図である。
【図４】本発明の取付方法を示す部分斜視図である。
【図５】本発明の使用状態を示す部分斜視図である。
【図６】本発明の使用状態を示す部分斜視図である。
【図７】本発明の使用状態を示す部分斜視図である。
【図８】本発明の使用状態を示す部分斜視図である。
【考案を実施するための形態】
【０００７】  以下、本考案の実施の形態を説明する。
（イ）図１に示すように、エスカレーターの下階の乗降口の下部両内側の側面（１）に、    ホログラムシートの糊付きのミラーシート（２）が貼付けられている。
（ロ）図２に示すように、エスカレーターの上階の乗降口の下部両内側の側面（３）に、    ホログラムシートの糊付きのミラーシート（２）が、貼付けられている。
（ハ）図３に示すように、エスカレーターの下階の乗降口の下部両内側の側面（１）にホ    ログラムシートの糊付きのミラーシート（２）が貼られている。
（ニ）図４に示すように、エスカレーターの上階の乗降口の下部両内側の側面（３）に、    ホログラムシートの糊付きのミラーシート（２）が貼られている。
（ホ）図５に示すように、エスカレーターの下階の乗降口の下部両内側の側面（１）に取    付けられたホログラムシートの糊付きのミラーシート（２）に、踏板（５）の端部の    黄色のライン（６）が反射像（７）として映り込み、踏板（５）の移動と共に、その    反射像（７）も動く。
（ヘ）図６に示すように、エスカレーターの上階の乗降口の下部両内側の側面（３）に取    付けられたホログラムシートの糊付きのミラーシート（２）に、踏板（５）の端部の    黄色のライン（６）が反射像（７）として映り込み、踏板（５）の移動と共に、その    反射像（７）も動く。
（ト）図７に示すように、エスカレーターの下階の乗降口の下部両内側の側面（１）に取    付けられたストライプ柄の糊付きのミラーシート（４）に、踏板（５）の端部の黄色    のライン（６）が反射像（７）として映り込み、踏板（５）の移動と共に、その反射    像（７）も動く。
（チ）図８に示すように、エスカレーターの上階の乗降口の下部両内側の側面（３）に取    付けられたストライプ柄の糊付きのミラーシート（４）に、踏板（５）の端部の黄色    のライン（６）が反射像（７）として映り込み、踏板（５）の移動と共に、その反射    像（７）も動く。
本考案は、以上のような構成である。
（リ）本考案を使用するときは、エスカレーター下階の乗降口の下部両内側の側面（１）    、または上階の乗降口の下部両内側の側面（３）に、ホログラムシートの糊付きのミ    ラーシート（２）や、ストライプ柄の糊付きのミラーシート（４）を貼ると、踏板（    ５）の端部の黄色のライン（６）が反射像（７）として映り込み、踏板（５）の移動    と共に、その反射像（７）も動く。
【符号の説明】
【０００８】１    エスカレーターの下階の乗降口の下部両内側の側面
２    ホログラムシートの糊付きのミラーシート
３    エスカレーターの上階の乗降口の下部両内側の側面
４    ストライプ柄の糊付きのミラーシート
５    踏板
６    端部の黄色のライン
７    反射像
【図１】
0003231732.tif 000003
【図２】
0003231732.tif 000004
【図３】
0003231732.tif 000005
【図４】
0003231732.tif 000006
【図５】
0003231732.tif 000007
【図６】
0003231732.tif 000008
【図７】
0003231732.tif 000009
【図８】
0003231732.tif 000010
(57)【要約】      （修正有）【課題】起立安定性に優れ、しかも組立、分解が極めて簡略であるパネル連結構造を提供する。【解決手段】パネル連結構造１は、支柱２と、脚体パネル３と、パネル板４とを各々所要数用いて構成し、該支柱２は、前後に貫通して直立した該脚体パネル３を備え、且つ、左右に該パネル板４を連結して組み付け起立し、また、該支柱２側の連結面に横断面が略Ｔ字状の中空縦溝の嵌入部を設けるとともに、該パネル板４側の連結面に横断面が略Ｔ字状の突起を有した嵌挿部を設けて、支柱２とパネル板４とを挿嵌機構で緊合し、これらを着脱自在に一体に成す。【選択図】図１
0003231736.tif 000002
【実用新案登録請求の範囲】
【請求項１】
パネル連結構造は、支柱と、脚体パネルと、パネル板とを各々所要数用いて構成し、該支柱は、前後に貫通して直立した該脚体パネルを備え、且つ、左右に該パネル板を連結して組み付け起立し、また、該支柱側の連結面に横断面が略Ｔ字状の中空縦溝の嵌入部を設けるとともに、該パネル板側の連結面に横断面が略Ｔ字状の突起を有した嵌挿部を設けて、支柱とパネル板とを挿嵌機構で緊合し、これらを着脱自在に一体に成すことを特徴としたパネル連結構造。
【考案の詳細な説明】
【技術分野】
【０００１】  本考案は、パネルの連結構造に関する。
【背景技術】
【０００２】  新型コロナウイルスの感染拡大が社会問題となり、様々な場所で、パネル設置される状況が広まっている。【０００３】  しかしながら、従来、パネル設置は特定用途目的が多く、多くは現場に固定設置するための大がかりな工事を伴うものであった。【０００４】  そのため、設置、解体の容易性に欠ける傾向にあった。
【考案の概要】
【考案が解決しようとする課題】
【０００５】  本考案は、上記従来有する問題点に鑑み、起立安定性に優れ、しかも組立、分解が極めて簡略であるパネル連結構造を提供しようとするものである。
【課題を解決するための手段】
【０００６】  パネル連結構造１は、支柱２と、脚体パネル３と、パネル板４とを各々所要数用いて構成し、該支柱２は、前後に貫通して直立した該脚体パネル３を備え、且つ、左右に該パネル板４を連結して組み付け起立し、また、該支柱２側の連結面に横断面が略Ｔ字状の中空縦溝の嵌入部５を設けるとともに、該パネル板４側の連結面に横断面が略Ｔ字状の突起を有した嵌挿部６を設けて、支柱２とパネル板４とを挿嵌機構で緊合し、これらを着脱自在に一体に成す。
【考案の効果】
【０００７】  本考案によれば、支柱を脚体パネルとパネル板とで支え保持することから起立安定性に優れたパネル連結構造が提供される。【０００８】  また、本考案によれば、支柱とパネル板とは挿嵌機構で緊合され、これらを着脱自在に成すことから、組立、分解が極めて簡略なパネル連結構造が提供される。
【図面の簡単な説明】
【０００９】
【図１】  本考案に於ける、パネル連結構造を説明する正面図である。
【図２】  本考案に於ける、パネル連結構造を説明する平面図である。
【図３】  本考案に於ける、パネル連結構造の挿嵌機構を説明する拡大横断面図である。
【考案を実施するための形態】
【００１０】  以下、本考案の実施の形態について、図面を参照して説明する。
図１・図２・図３に示すように、パネル連結構造１は、支柱２と、脚体パネル３と、パネル板４とを各々所要数用いて構成し、該支柱２は、前後に貫通して直立した該脚体パネル３を備え、且つ、左右に該パネル板４を連結して組み付け起立し、また、該支柱２側の連結面に横断面が略Ｔ字状の中空縦溝の嵌入部５を設けるとともに、該パネル板４側の連結面に横断面が略Ｔ字状の突起を有した嵌挿部６を設けて、支柱２とパネル板４とを挿嵌機構で緊合し、これらを着脱自在に一体に成す。
【符号の説明】
【００１１】  １    パネル連結構造
２    支柱
３    脚体パネル
４    パネル板
５    嵌入部
６    嵌挿部
【図１】
0003231736.tif 000003
【図２】
0003231736.tif 000004
【図３】
0003231736.tif 000005
(57)【要約】      （修正有）【課題】手荷物、運搬用具、電車やバス等のつり革やドアノブ、などに簡単に取りつけることができて、直接触れることなく使用できる抗菌グリップを提供する。【解決手段】材質は主に、スポンジで製造されており、洗浄及び消毒可能で円柱状をしており、円柱状の１ヶ所１が切断されており、使用者がスポンジの柔軟性を利用し、使用者自身の手指で広げる事が可能で、目的物の持ち手やつり革にかぶせたり、包み込んで使用し、停止する時も、使用者が自身の手指で切れ目を広げて取りはずし、スポンジの復元力を利用して原型にもどし、繰り返し利用できる抗菌グリップ２であって、食器用洗剤による洗浄及び食品用アルコール消毒液による抗菌ができる。【選択図】図１
0003231718.tif 000002
【実用新案登録請求の範囲】
【請求項１】
当該製品は、手荷物の運搬時に、直接、手荷物及び運搬用具等に解れる事なく、簡単にそれらに取りつける事のできる抗菌グリップ
【請求項２】
当該製品は、洗浄及び抗菌加工を施す事ができ、運搬者本人の手の汚染を防止する事ができる抗菌グリップ
【請求項３】
当該製品は、電車、バス等のつり革やドアノブ等に簡単に取り付け、取りはずしができ、他の利用者が接解した場所に直接ふれる事なくそれらを使用できる抗菌グリップ
【請求項４】
当該製品はやわらかいスポンジ状の円柱形をしており、中央部分が空洞状であり、円柱形のたて部分が切れており、広げる事ができ広げた形状は長方形になるが、通常は常に円柱状を保つ事ができる抗菌グリップ
【請求項５】
当該製品は、やわらかい弾力のあるスポンジの材質で作成されており、カバン  ショッピングバック、買い物用カゴ等の手荷物を運搬する持ち手部分に取り付ける事により、手にかかる負担及び痛みを軽減する事ができる抗菌グリップ
【考案の詳細な説明】
【技術分野】
【０００１】本考案は、コロナウィルス感染予防対策を主とした、個人使用ができる携帯グリップである。
【背景技術】
【０００２】公共交通機関のつり革や、スーパーマーケットのカゴや、ドアノブ等に、利用者は直接触っている事が通常であった。
【先行技術文献】
【特許文献】
【０００３】
【特許文献１】特開２００５−１２６８７６  公報
【０００４】
【特許文献２】特開２０１１−４６３５１  公報
【０００５】
【特許文献３】実用新案登録第３１７５００５号  公報
【考案の概要】
【考案が解決しようとする課題】
【０００６】コロナウィルス感染予防の為の対策は、マスク、手洗い殺菌等が行なわれているが、公共物に類する物への接触対策が不十分であると考えられるので、各個人ができうる自衛手段として、個人で使用できる、独自の抗菌ハンドグリップが必要とされる。
【課題を解決するための手段】
【０００７】本考案は、各人が他人が触れた、物や場所に直接触れない事により、感染リスクを大巾に軽減する為の物で、スポンジ状の中空の円柱状で長辺に切れ目が入っており外側手の指になじみやすい波状がほどこされ、手の中におさまるサイズで、常に洗浄殺菌、消毒ができる、抗菌ハンドグリップを作成する事により、問題点を解決する物である。
【考案の効果】
【０００８】上述の様に、本考案の抗菌ハンドグリップを各個人が所持し、使用する事により、電車のつり革、マーケットのカゴ、ドアノブ、手すり、キャリーバッグ等、他人が触れた所に直接触れなくて済み、自分自身で洗浄、消毒した物を使用できるので、安全、安心に活用する事ができる。
【図面の簡単な説明】
【０００９】
【図１】本考案の全体部分で、材質の特性により、スリット部分は拡大、縮小する。
【図２】本抗菌ハンドグリップの断面図である
【図１】
0003231718.tif 000003
【図２】
0003231718.tif 000004
【手続補正書】
【提出日】令和2年10月2日(2020.10.2)
【手続補正１】
【補正対象書類名】実用新案登録請求の範囲
【補正対象項目名】全文
【補正方法】変更
【補正の内容】
【実用新案登録請求の範囲】
【請求項１】
当該製品の材質は主にウレタンスポンジで製作されており，大人の手の平の横巾と同程度の中空で円柱形をしており，長辺の１部分に縦に切れ目が入っており，自身の力で切れ目を広げる事ができ又，自身がグリップに加えた力をゆるめる事により，原型にもどす事ができる製品で，手荷物の運搬時に直接手荷物及び運搬用具等に触れる事なく簡単にそれらに取り付けられる抗菌グリップ。
【請求項２】
請求項１の条件をみたした当該製品は，洗浄及び抗菌加工を施す事ができ，運搬者本人の手の汚染を防止する事ができる抗菌グリップ。
【請求項３】
請求項１及び請求項２の条件を満たした当該製品は，電車，バス等のつり革や，ドアノブ等に簡単に取り付け取りはずしができ，他の利用者が接触した場所に直接触れる事なく，それらに使用できる抗菌グリップ。
【請求項４】
当該製品はやわらかいスポンジで円柱形をしており，中心部分が空洞状であり，円柱形の縦部分が切れており，広げる事ができ，広げた形状は長方形になるが，通常は常に円柱状を保つ事ができる抗菌グリップ。
【請求項５】
請求項１請求項２請求項３請求項４の特徴を具備した当該製品は，カバン，ショッピングバッグ，買物カゴ等の手荷物を運搬する持ち手部分に取り付ける事により，手にかかる負担及び痛みを軽減する事ができ，又，旅行等でキャリーバッグを預け先から受け取る時に使用する事により除菌対策ができる抗菌グリップ。
【手続補正書】
【提出日】令和3年1月6日(2021.1.6)
【手続補正１】
【補正対象書類名】実用新案登録請求の範囲
【補正対象項目名】全文
【補正方法】変更
【補正の内容】
【実用新案登録請求の範囲】
【請求項１】
当該製品の材質は主に、スポンジで製造されており、洗浄及び消毒可能で円柱状をしており、円柱状の１ヶ所が切断されており、使用者がスポンジの柔軟性を利用し、使用者自身の手指で広げる事が可能で、目的物の持ち手やつり革にかぶせたり、包み込んで使用し、停止する時も、使用者が自身の手指で切れ目を広げて取りはずし、スポンジの復元力を利用して原型にもどし、繰り返し利用できる事を目的とした抗菌グリップ。
【請求項２】
請求項１の条件をみたした当該製品は、食器用洗剤による洗浄及び食品用アルコール消毒液による抗菌ができる抗菌グリップ。
【請求項３】
請求項１の条件をみたした当該製品は、目的物のつり革やドアノブ等に当該製品を使用する際、使用者自身の手の中にほとんどの部分をかくす事ができる事により周囲の人々の注目をさける事ができる抗菌グリップ。
【請求項４】
請求項１の条件をみたした当該製品は、中空の円柱型が通常の形状であるが広げる事により、長方形となり、平面的な形になる事により、平面的収納が可能となる抗菌グリップ。
【請求項５】
請求項１の条件をみたした当該製品は、手荷物を運搬する持ち手部分に取り付ける事により、スポンジの柔軟性及び弾力性により、手にかかる負担や痛みを軽減する事ができる抗菌グリップ。
(57)【要約】      （修正有）【課題】マスコット人形やおもちゃの形状で心が和み、楽しくコンピューティング出来る無線ＬＡＮルーターを提供する。【解決手段】無線ＬＡＮルーターは、受信・発信の出来る精密機械の部分１をマスコット人形２、おもちゃ（Ｔｏｙ）の中に入れた据置型のルーターである。ルーターをマスコット人形２やおもちゃの中に入れることで心が和み、楽しくコンピューティング出来る。【選択図】図２
0003231719.tif 000002
【実用新案登録請求の範囲】
【請求項１】
Ｗｉ−Ｆｉルーターおよび無線ＬＡＮルーターの受信・発信の出来る精密機械の部分をマスコット人形、おもちゃ（Ｔｏｙ）の中に入れた据置型のＷｉ−Ｆｉルーターである。
【請求項２】
Ｗｉ−Ｆｉルーターおよび無線ＬＡＮルーターの受信・発信の出来る精密機械の部分を電池内蔵型にした特徴とする、マスコット人形、おもちゃ（Ｔｏｙ）の中に入れた据置型のＷｉ−Ｆｉルーターである。
【考案の詳細な説明】
【技術分野】
【０００１】  本考案は、部屋とか事務所に設置する可愛らしいマスコット人形型やおもちゃ型のルーターである。
【背景技術】
【０００２】  通常ルーターは、機械的で可愛らしいものではなかった。【０００３】  通常ルーターは、機械的な役割を果たせば良いように製造されていた。【０００４】  いずれも、ルーターは、目立っても目立たなくても良く、部屋の片隅あれば良かった。
【先行技術文献】
【考案文献】
【考案の開示】
【考案が解決しようとする課題】
【０００５】  本考案は、ルーターを使用する時、機械的でなく可愛らしいマスコット人形のようであれば、心も和むし楽しくコンピューティングできる場を提供することを課題とするものである。
【課題を解決するための手段】
【０００６】  本考案は、一般に使用されているルーターをマスコット人形やおもちゃの中に入れることで心が和み楽しくコンピューティングが出来るルーターを提供するものである。
【考案の効果】
【０００７】  本考案は、一般に使用されているルーターをマスコット人形やおもちゃの中に入れることで心が和み楽しくコンピューティングが出来るルーターである。
【考案を実施するための最良の形態】
【０００８】以下、図面を参照して本考案の実施形態を説明する。
なお、以下に説明する実施形態に限定されることなく、本趣旨を離脱しない範囲で、任意の構造を採用することができる。
図１は、マスコット人形の中にルーターを入れた時の図である。
【図面の簡単な説明】
【０００９】
【図１】ルーターとマスコット人形との組み合わせである。
【図２】マスコット人形の中にルーターを入れた、
【符号の説明】
【００１０】１      ルーターの本機
２      マスコット人形
３      電源
【図１】
0003231719.tif 000003
【図２】
0003231719.tif 000004
【手続補正書】
【提出日】令和2年10月9日(2020.10.9)
【手続補正１】
【補正対象書類名】実用新案登録請求の範囲
【補正対象項目名】全文
【補正方法】変更
【補正の内容】
【実用新案登録請求の範囲】
【請求項１】
無線ＬＡＮルーターの受信・発信の出来る精密機械の部分をマスコット人形、おもちゃ（Ｔｏｙ）の中に入れた据置型であることを特徴とする無線ＬＡＮ。
【請求項２】
無線ＬＡＮルーターの受信・発信の出来る精密機械の部分を電池内蔵型にした特徴とする、マスコット人形、おもちゃ（Ｔｏｙ）の中に入れた据置型であることを特徴とする無線ＬＡＮ。
【手続補正書】
【提出日】令和3年1月8日(2021.1.8)
【手続補正１】
【補正対象書類名】実用新案登録請求の範囲
【補正対象項目名】全文
【補正方法】変更
【補正の内容】
【実用新案登録請求の範囲】
【請求項１】
無線ＬＡＮルーターの受信・発信の出来る精密機械の部分をマスコット人形、おもちゃ（Ｔｏｙ）の中に入れた据置型であることを特徴とする無線ＬＡＮルーター。
【請求項２】
無線ＬＡＮルーターの受信・発信の出来る精密機械の部分を電池内蔵型にした特徴とする、マスコット人形、おもちゃ（Ｔｏｙ）の中に入れた据置型であることを特徴とする無線ＬＡＮルーター。
(57)【要約】      （修正有）【課題】柔軟性のある素材を用いた、長期間の使用にも耐えうる、抗菌・抗ウィルス効果が持続する衛生的な携帯用小物入れを提供する。【解決手段】携帯用小物入れは、柔軟性のある布状の素材から成る本体１であり、表面２には撥水加工が施され、内面３には抗菌・抗ウィルス効果のある漆喰含有塗料が塗布されている。底辺ａは山折り、右辺ｂと左辺ｃはそれぞれ２面が縫合されており、衛生的に使用できる袋状の小物入れを形成している。【選択図】図１
0003231777.tif 000002
【実用新案登録請求の範囲】
【請求項１】
表面に撥水加工が施された布、又は布状の合成樹脂の裏面に、消石灰を原料とする漆喰含有塗料を塗布した生地を用い、縫製された、衛生的に保管したい小物を収納するための携帯用小物入れ。
【請求項２】
前記生地を、塗料塗布面が内側となるよう、袋状に縫製されていることを特徴とする請求項１に記載の携帯用小物入れ。
【考案の詳細な説明】
【技術分野】
【０００１】  本考案は、抗菌・抗ウィルス効果が長期間持続する消石灰を主成分とする漆喰含有塗料を用いた、携帯用小物入れに関するものである。
【背景技術】
【０００２】  外食の際、飲食する直前までマスク着用が求められる昨今、着用マスクの一時保管場所として、感染防止対策のため、衛生的に収納できる小物入れが必要とされている。紙製のマスク入れも提供されているが、使い捨てであるため、環境保護の観点から、繰り返し使用可能な小物入れを携帯するのが望ましい。しかし従来の小物入れでは清潔に保つための手入れが煩雑であるため、抗菌・抗ウィルス効果が長期間持続する素材で作製された携帯用小物入れがあれば便利である。【０００３】  また、マスクの着脱は、マスクの接顔面に手で触れず、素早く行いたいものであり、簡単に保管先へ収納できる形状であることが望まれる。【０００４】  例えば、下記特許文献１には、１枚の樹脂フィルムを二つ折りにして山折り部分に接する辺の片方のみを接合した形状を代表例として、漆喰含有層を有する漆喰コーティングシートを内面に貼り付けた、抗菌・抗ウィルス性を有する衛生的なマスクケースが開示されている。
【先行技術文献】
【特許文献】
【０００５】
【特許文献１】実用新案登録第３２２８６０６号  公報
【考案の概要】
【考案が解決しようとする課題】
【０００６】  長期間抗菌・抗ウィルス効果が持続する衛生的な携帯用小物入れを実現するために、漆喰含有塗料を使用したい。本考案と同様に漆喰含有塗料を使用している特許文献１に記載の技術は、漆喰コーティングシートを別途作製して、マスクケースの本体となる素材である樹脂フィルムに貼り付けている。漆喰コーティングシートは、粘着シートである特性上、布のような柔軟性のある素材への貼り付けには不向きであり、本体となる素材に漆喰塗料を直接塗布するよりも、手間やコストもかかる。また、抗菌・抗ウィルス効果は、塗布する漆喰塗料の分量が多いほど長期間持続するが、漆喰コーティングシートでは塗布できる分量が限られる。【０００７】  さらに特許文献１に記載の技術では、樹脂フィルムの特性及びその形状から、マスクを広げた状態で保管することが想定される。マスク着脱において、接顔面を手で触れることは禁忌されているが、広げて入れる場合には触れざるを得ないため、衛生面での課題が残る。また、立体型マスク等、折りたたんだ状態で保管したいマスクには不向きな形状であり、マスク以外の小物の保管にも適していない。
【課題を解決するための手段】
【０００８】  本考案に係る小物入れは、本体となる素材を布、又は布状の合成樹脂とし、その素材に漆喰含有塗料を直接塗布した生地を用いて、塗料塗布面が内側となるよう袋状に縫製することにより問題を解決している。
【本考案の効果】
【０００９】  本考案によれば、漆喰コーティングシートの調達を必要とせず、コストや手間を省いて、長期間抗菌・抗ウィルス効果が持続する衛生効果の高い小物入れを作成することができる。また、マスク着脱の際、接顔面に触れず、耳掛けゴムと外側だけを持って折りたたんだ状態で、衛生的かつ簡単に出し入れできる他、マスク以外の小物入れとしても活用できる。
【図面の簡単な説明】
【００１０】
【図１】本考案の携帯用小物入れにおいて基本的な実施例を示す斜視図である。
【図２】図１の形状を応用した形状として示す、上辺部に開閉蓋を加え、底辺部にマチを加えた形状の正面図である。
【考案を実施するための形態】
【００１１】  本考案の携帯用小物入れは、鳥インフルエンザの消毒にも使われる消石灰を主成分とする漆喰含有塗料を、小物入れ本体となる布、又は布状の合成樹脂に直接塗布し、塗料塗布面が内側となるよう袋状に縫製することから成っている。
【実施例】
【００１２】  以下、図１に従って一実施例を説明する。１は布、又は布状の合成樹脂を素材とする携帯用小物入れ本体であり、２は本体１の表面で、撥水加工が施されている。３は収納する小物が接する内面であり、漆喰含有塗料が塗布されている。使用する漆喰含有塗料は関西ペイント社製造の消石灰を主成分とする水性塗料「アレスシックイ」である。この塗料は塗布層が水に浸ると効果が低減するため塗布面の裏面、つまり表面２は撥水加工されている必要がある。ａは小物入れの底辺であり、山折りにされている。ｂおよびｃは、１枚の生地が底辺ａで山折りにされて生じた２面の左右両辺を縫合しており、小物入れは袋状を形成している。ｄは小物の出し入れ口となる部分である。【００１３】  尚、出し入れ口ｄは、図１で示すオープン状の他にも、ファスナーを縫合して閉じられるようにもできる他、図２のｅで示すような蓋体部が加わる形状も可能である。底辺ａについても、図２のｆで示すようなマチ部を加える形状も可能である。【００１４】  この他にも、収容する小物の性質や大きさによって、形状は柔軟に対応でき、前記実施形態は、本考案の基本的な例であり、本考案の技術的範囲を限定するものではない。
【符号の説明】
【００１５】１  携帯用小物入れ本体
２  携帯用小物入れ表面
３  携帯用小物入れ内面
ａ  底辺
ｂ  右辺
ｃ  左辺
ｄ  上辺
ｅ  蓋体
ｆ  マチ
【図１】
0003231777.tif 000003
【図２】
0003231777.tif 000004
(57)【要約】      （修正有）【課題】容易に作成可能な仏像を模した蝋燭を提供する。【解決手段】仏像作成の材料に紙粘土を使用し、成型に蝋を使うことにより安価な仏像蝋燭を作成する。仏壇やお墓に限らず広く親しまれる。【選択図】図１
0003231778.tif 000002
【実用新案登録請求の範囲】
【請求項１】
仏像を模した蝋燭
【考案の詳細な説明】
【技術分野】
【０００１】  本考案は仏像を模した蝋燭に関するものである
【背景技術】
【０００２】  一個人は仏像を容易に作り出せない。
【考案の概要】
【考案が解決しようとする課題】
【０００３】個々人が仏像を彫るには気力と感性と技術と時間が必要であり、また仏像は高価なため入手が容易ではないという問題があった。そこで安価かつ成型が容易な紙粘土や蝋を使うことによりその問題を解決しようとするものである。
【課題を解決するための手段】
【０００４】  安価で造形が容易な紙粘土により仏像の雄型を作り、油粘土でさらにその雌型を作る。そこに熱した蝋を流し込み、「おとけ様」を成型することで問題を解決している。
【考案の効果】
【０００５】  仏壇に蝋燭を置く場合において「おとけ様」を使用することで仏壇をより華やかに演出できるものである。また、親しみやすいように簡略化された造形によりその用途は仏壇に限らない。
【考案を実施するための形態】
【０００６】  紙粘土で仏像を成型し油粘土でその仏像を包み込むように型を取り、その型を二つに割り中の紙粘土の仏像を取り出し、中央に糸の芯を配置するように油粘土の型を再度合わせ融解した蝋をその型に流し込み十分冷やしたのち、取り出し「おとけ様」を完成させるものである。
【図面の簡単な説明】
【０００７】
【図１】  正面図、側面図及び試作例
【図１】
0003231778.tif 000003
(57)【要約】      （修正有）【課題】組み立てが容易で、多色のアッパーを有するカラーサンダルを提供する。【解決手段】カラーサンダル１０は、ソール１、及びアッパー２を含み、ソール１とアッパー２とは一体成形され、アッパー２は複数のアッパー領域２ａ、２ｂ、２ｃを有し、複数のアッパー領域２ａ、２ｂ、２ｃはそれぞれ異なる色を有するように形成される。【選択図】図１
0003231779.tif 000002
【実用新案登録請求の範囲】
【請求項１】
ソール１、及びアッパー２を含み、前記ソール１と前記アッパー２とは一体成形され、前記アッパー２は複数のアッパー領域２ａ、２ｂ、２ｃを有し、前記複数のアッパー領域２ａ、２ｂ、２ｃはそれぞれ異なる色を有するように形成されることを特徴とするカラーサンダル。
【考案の詳細な説明】
【技術分野】
【０００１】  この考案はサンダルに関し、特に構造が簡単で、多色なアッパーを有するサンダルに関する。
【背景技術】
【０００２】  長い間、サンダルのアッパーは単色であり、変化に乏しいものであった。使用者は無色の感覚で使用していた。
【考案の概要】
【考案が解決しようとする課題】
【０００３】  前記のように、従来のサンダルのアッパーは単色で変化に乏しいため、使用者にとっては単調であった。また、組み立ては容易ではない。【０００４】  本考案はの目的は、従来のサンダルの組み立てを解決するとともに、多色のアッパーを有する新規なカラーサンダルを提供することにある。
【課題を解決するための手段】
【０００５】  具体的には、本考案のカラーサンダルは、ソールとアッパーを含み、前記ソールと前記アッパーは一体成形であり、前記アッパーは複数のアッパー領域を有し、前記複数のアッパー領域はそれぞれ異なる色を有するように形成される。
【考案の効果】
【０００６】  本考案は、カラーサンダルのソールとアッパーが一体成形されるとともに、アッパーは多色のアッパー領域を有するため、使用者にとっては使用しやすく、かつ気分がいい。
【図面の簡単な説明】
【０００７】
【図１】図１は本考案のカラーサンダルのイメージ図である。
【考案を実施するための形態】
【０００８】  以下、図１をもって本考案を具体的に説明する。
【０００９】  本考案のカラーサンダル１０は、ソール１、及びアッパー２を含む。ソール１とアッパー２とは一体成形されるものである。
【００１０】  アッパー２は、少なくとも２つのアッパー領域２ａ、２ｂを有するように形成され、２つのアッパー領域２ａ、２ｂはそれぞれ異なる色を有する。
【００１１】  アッパー２は３つのアッパー領域２ａ、２ｂ、２ｃを有し、３つのアッパー領域２ａ、２ｂ、２ｃがそれぞれ異なる色を有するように形成されることも可能である。また、アッパー領域２ａ、２ｂ、２ｃはカラーサンダル１０の長さ方向に並んでもよく、カラーサンダル１０の幅方向に並んでもよい。さらに、カラーサンダル１０の長さ方向に対して傾斜した方向に並んでもよい。
【００１２】  また、ソール１の上面１ａに説明文字または絵柄等の模様３をプリントしてもよい。
【００１３】  上記考案のカラーサンダル１０により、ソール１とアッパー２が一体成形され、かつ、アッパー２は多色のアッパー領域２ａ、２ｂ、２ｃを有するため、使用者にとっては使用しやすく、かつ気分がいい。
【符号の説明】
【００１４】  １  ソール、２  アッパー、２ａ、２ｂ、２ｃ  アッパー領域、３  模様、
１０  カラーサンダル
【図１】
0003231779.tif 000003
(57)【要約】【課題】本考案の課題は、ハリスに回動自在な状態で取り付けられた釣り針の回動性を上げることで、釣り針がハリス下流側に回動しやすくなり、より多くの魚を針掛かりさせる仕掛けを提供することである。【解決手段】本考案は、ハリス１を軸に回動する状態で取り付けられた釣り針５と、ハリス１の下端２に付されたストッパー４との間にハリス１が挿通された状態のリング状部材８を位置させることで、釣り針５の回動時の摩擦力を下げる。その結果釣り針が水中でハリスより下流側に回動しやすくなり、下流側から近づく魚が針掛かりしやすくなっている。【選択図】図１
0003231798.tif 000002
【実用新案登録請求の範囲】
【請求項１】
ハリスと、前記ハリスを軸として回動するハリス挿通孔を頭部に有する釣り針と、前記ハリスの下端に付されたストッパーと、前記釣り針と前記ストッパーの間に前記ハリスを挿通された状態のリング状部材と、を備えることを特徴とする釣りの仕掛け。
【請求項２】
前記ストッパーは、前記ハリスを複数回結んだものであることを特徴とする請求項１の釣りの仕掛け。
【考案の詳細な説明】
【技術分野】
【０００１】
本考案は、釣り針がハリスを軸として回動する釣りの仕掛けに関するものである。
【背景技術】
【０００２】
従来の釣り仕掛け構造は、1本のハリスに1本の釣り針が固定されたものが一般的である。また、餌に対して魚が興味を持つように回動自在な釣り針を有するもの（特許文献1）が知られている。
【先行技術文献】
【特許文献】
【０００３】
【特許文献１】特開昭６３−２０９５３４
【考案の概要】
【考案が解決しようとする課題】
【０００４】
解決しようとする問題点は、釣り針が下流側から近寄る魚側に向きにくく魚が針掛かりしづらいことである。また特許文献１も主な親釣り針がハリスに固定されており魚側に向きにくく魚が針掛かりしづらい。
【課題を解決するための手段】
【０００５】
本考案は、ハリスに回動自在な状態で取り付けられた釣り針とストッパーの間にリング状部材を有することを最も主要な特徴とする。
【考案の効果】
【０００６】
本考案の釣りの仕掛けは、釣り針とストッパーの間にリング状部材を有することで、釣り針の回動を妨げる摩擦力が小さくなるため、水中の流れで釣り針が回動しやすくなるという利点がある。よって釣り針が下流側から近寄る魚側に向くので針掛かりしやすい。
【図面の簡単な説明】
【０００７】
【図１】図１は、本考案の釣りの仕掛けの構成を説明する図である。（実施例１）
【図２】図２は、釣り針の水中での体勢を示した説明図である。（実施例２）
【考案を実施するための形態】
【０００８】
釣り針の回動性を上げ、多くの魚を針掛かりさせるという目的を、リング状部材を挿入することで実現した。
【実施例１】
【０００９】
図１は、本考案の釣りの仕掛けの第一の実施例である。ハリス１に釣り針５が回動自在に取り付けられ、ハリス１を結束したストッパー４とリング状部材８が、協働して釣り針５のハリス１からの脱落を防止する。またリング状部材はハリスを傷つけない丸い線材を使用し作ることが望ましいが、平ワッシャー形状とすればプレス機などでも製造できる。またリング状部材の大きさの特徴はストッパー４の直径＞リング状部材の孔径であり、リング状部材の外径＞釣り針の挿通孔の径である。
【実施例２】
【００１０】
図２は、水中での釣り針の体勢を示す図である。釣り針５は流れ１１により下流の魚１２側に回動する。その結果釣り針５が下流側に位置し、針先６が魚１２に針掛かりしやすくなる。（ハリスに結束され固定された釣り針は魚側を向かないことが多い。また長いハリスでは魚側を向くことを想定して結束するのは困難である）
【符号の説明】
【００１１】
１    ハリス
２    ハリスの下端
３    ハリスの上端側
４    ストッパー
５    挿通孔を頭部に有する釣り針
６    針先
７    挿通孔
８    リング状部材
９    リング状部材の孔
１０    釣り針の回動
１１    水中の流れ
１２    下流側から近寄る魚
１３    魚の口
【図１】
0003231798.tif 000003
【図２】
0003231798.tif 000004
(57)【要約】      （修正有）【課題】ハンドドリップ方式でペーパーフイルターを使用して淹れるコーヒードリッパーをできるだけ簡素な形状にし、使いやすさ使用後の洗浄のしやすさ、製造価額の安価を実現し顧客に安価で使いやすいコーヒードリッパーを提供する。【解決手段】円錐形のペーパーフイルター１の開口部の端から内側の円周に任意の位置に設けた折り線をもとに逆Ｖ字形に開口部を外側に折り返し、開口部を逆Ｖ字形の輪を形成する折り線付きペーパーフイルターと、折り線付きペーパーフイルターのＶ字形輪のＶの底部分３と同じ直径の開口部を有するガラス容器２を設け、ガラス容器の開口部に折り線付きペーパーフイルターの逆Ｖ字形の輪のＶ字形のＶの底部分を乗せてコーヒーを抽出できるようにする。【選択図】図１
0003231791.tif 000002
【実用新案登録請求の範囲】
【請求項１】
ハンドドリップ方式でコーヒーを淹れるときに使用する円錐形のペーパーフィルターとガラス容器を組み合わせて使用するコーヒードリッパーにおいて、円錐形のペーパーフイルターの開口部の端から内側の円周に設けた折り線をもとに逆Ｖ字形に開口部を外側に折り返し、開口部に逆Ｖ字形の輪を形成する折り線付きペーパーフイルターの逆Ｖ字の輪のＶの底部分と同じ直径の開口部を有するコーヒーを入れるガラス容器を設け、ガラス容器の開口部に折り線付きペーパーフイルターの逆Ｖ字形の輪の逆Ｖ字形のＶの底部分を乗せて、コーヒーを抽出するコーヒードリッパーで、折り線付きペーパーフイルターと折り線付きペーパーフイルターを乗せるガラス容器でコーヒーを抽出することを特長としたコーヒードリッパー。
【考案の詳細な説明】
【技術分野】
【０００１】本考案は、ハンドドリップ方式でコーヒーを淹れるためのコーヒードリッパーに関するものである。
【背景技術】
【０００２】従来より、ハンドドリップ方式で淹れるコーヒーのフィルターはペーパーフィルターが主流で、全国のコンビニエンスストアー、スパーマーケットで販売されており、又ペーパーフイルターを使ってコーヒーを抽出するコーヒードリッパー器具は数多の種類が製造されており、その中でも１９４１年に開発され特許を取得したとされるケメックス社のコーヒードリッパーで、ペーパーフイルターを受けるジョウロ形のガラス部分と抽出したコーヒーを入れるフラスコ形のガラス部分をつなぎ合わせた形状のドリッパーで、ペーパーフイルターとガラス容器を組み合わせて使うコーヒードリッパーで、数々の有名美術館の永久展示品とされ今でも人気の高い逸品とされている。
【考案が解決しようとする課題】
【０００３】ハンドドリップ方式でペーパーフイルターを使用して淹れるコーヒードリッパーをできるだけ簡素な形状にし、使いやすさと使用後の洗浄のしやすさ、製造コストを抑え顧客に安価で使いやすいコーヒードリッパーを提供する。
【課題を解決するための手段】
【０００４】本考案にかかるコーヒードリッパーにおいて、円錐形のペーパーフイルターの開口部の端から内側の円周に設けた折り線をもとに逆Ｖ字形に開口部を外側に折り返し、開口部を逆Ｖ字形の輪を形成する折り線付きペーパーフイルターと、折り線付きペーパーフイルターの逆Ｖ字形輪のＶの底部分と同じ直径の開口部を有するガラス容器を設け、ガラス容器の開口部に折り線付きペーパーフイルターの逆Ｖ字形の輪のＶ字形のＶの底部分を乗せてコーヒーを抽出できるようにする。
【考案を実施するための形態】
【０００５】以下に、本考案にかかるコーヒードリッパーを、その実施例を示した図面に基づいて詳細に説明する。図１は折り線付きペーパーフイルター１をガラス容器２に設置する前の段階を示す斜視図で、折り線付きペーパーフイルター１を折り線付きペーパーフイルターの逆Ｖ字形の輪のＶの底部分３と同じ直径の開口部を有するガラス容器２の開口部に折り線付きペーパーフイルターの逆Ｖ字形の輪のＶ字形のＶの底部分を乗せてコーヒーを抽出できるようにする。図２は折り線付きペーパーフイルター１をガラス製コーヒーカップ４に設置した斜視図で、折り線付きペーパーフイルターの逆Ｖ字形輪のＶの底部分３と同じ直径の開口部を有するガラス製コーヒーカップ４の開口部に折り線付きペーパーフイルターの逆Ｖ字形の輪のＶ字形のＶの底部分を乗せてコーヒーを抽出できるようにする。
【０００６】尚、折り線付きペーパーフイルターであるが、本考案の出願者が出願中の出願番号、実願２０２０−３６２８の考案である。
【考案の効果】
【０００７】本考案のコーヒードリッパーは、ペーパーフイルターを受ける器具が不用で
折り線付きペーパーフイルター１をガラス容器に直接装着してコーヒーを抽出することができ、またガラス製コーヒーカップ４に折り線付きペーパーフイルターを乗せてコーヒーを抽出し淹れ終わったら折り線付きペーパーフイルターを取り除くことでコーヒーを飲むことができる。
【図面の簡単な説明】
【０００８】
【図１】本考案にかかるコーヒードリッパーの折り線付きペーパーフイルター１をガラス容器２に設置する前の状態を示す実施例の一例を示す斜視図である。
【図２】前記、折り線付きペーパーフイルター１をガラス製コーヒーカップ４に設置した状態の一例を示す実施例の斜視図である。
【符号の説明】
【０００９】１  折り線付きペーパーフイルター
２  ガラス容器
３  折り線付きペーパーフイルターのＶ字形輪のＶの底部分
４  ガラス製コーヒーカップ
【図１】
0003231791.tif 000003
【図２】
0003231791.tif 000004
(57)【要約】      （修正有）【課題】家庭でも手軽に専門店で食する出来たてのうどんの味の冷凍出汁入りうどんを提供する。【解決手段】袋状の包装材１に、うどんの麺３と、うどん出汁２とを充填し一体とする。【選択図】図１
0003231792.tif 000002
【実用新案登録請求の範囲】
【請求項１】
袋状の包装材に、うどんの麺と、うどん出汁とを充填し一体としたことを特徴とする袋入り冷凍出汁入りうどん。
【考案の詳細な説明】
【技術分野】
【０００１】本考案は、冷凍うどんに関するものである。
【背景技術】
【０００２】冷凍うどんは、今般のコロナ禍においても長期の保存ができ、簡単に調理できることから需要が高い食材である。しかし、家庭においてはうどん専門店、特に讃岐うどん専門店の出来たての美味しさを味わうには不十分であった。【０００３】また、冷凍うどんを解凍する方法として、鍋で茹でたり、電子レンジで加温するなどの方法があるが、別途調整したうどん出汁とあわせる必要があった。【０００４】例えば、特許文献１は食する者が別々に調理する必要がないよう出汁、具材、及び麺を一体として構成されており、個々の材料はそれぞれ凍結後に分離して容器に収納されているが、これは、麺の中に出汁が浸潤してしまうことを防止するためである。この方法は、出汁を冷凍するためにフレーク状にする工夫がなされているが、常法のうどんの製法とは違う方法であり、専門店の味を再現することが難しいという問題点があった。【０００５】また、特許文献２は、うどんの出汁と麺を摂氏５度以下に冷却してから一体化して冷凍している。このようすると一見出来たてのうどんの味を再現できるかのように考えられる。しかし、うどんの麺は茹で上げ後、水分が徐々に麺の中に浸透してしまうことから冷却するまでの時間が大事となり、摂氏５度以下に冷却する工程を経ることで、出来たての味が失われてしまうという問題点があった。
【先行技術文献】
【特許文献】
【０００６】
【特許文献１】特開２０２０−０４３８１９
【特許文献２】特開昭６１−２２４９５４
【考案の概要】
【考案が解決しようとする課題】
【０００７】本考案は、家庭でも手軽に専門店で食する出来たてのうどんの味を冷凍出汁入りうどんとして提供することを目的とする。
【課題を解決するための手段】
【０００８】上記課題を解決するために、請求項１に記載の考案は、袋状の包装材に、うどんの麺と、うどん出汁とを充填し一体としたことを特徴とする袋入り冷凍出汁入りうどんである。
【考案の効果】
【０００９】本考案の袋入り冷凍出汁入りうどんは、袋状の包装材から取り出した冷凍の出汁入りうどんを鍋に入れて加熱することにより、又は袋状の包装材から取り出した冷凍出汁入りうどんを耐熱容器にいれて電子レンジで加熱することにより、専門店と同様のうどんを手軽に家庭で食することができるようになるという利点がある。【００１０】また、本考案の袋入り冷凍出汁入りうどんをそのまま湯煎し、食する直前に器に盛り付けることもできる。
【図面の簡単な説明】
【００１１】
【図１】本考案にかかる袋入り冷凍出汁入りうどんの一例を示す正面図である。
【考案を実施するための形態】
【００１２】本考案の実施例を以下に示す。ただし、本考案はこれに限定されるものではない。
【実施例】
【００１３】本考案は、常法に従ってうどんの麺を茹でた後、水で締めて水切りした状態の麺と、加温して調整した後常温にした状態の出汁とを、袋状の包装材に充填した後、急速冷凍する。【００１４】使用するうどんの出汁は、国産材料のみを用いて調整し、加温後常温とする。出汁の塩分濃度を２％以下とし、より好ましくは１．２％以下となるよう調整する。【００１５】次に、うどんの麺は、国産小麦を使用し、常法に従って製麺し、麺の断面直径を３ミリメートルから５ミリメートルとなるように切り分ける。より好ましくは、麺の断面直径が４．３ミリメートルから４．５ミリメートルとすると食感がよい。【００１６】切り分けた麺は、沸騰したお湯で茹で上げる。茹で上げる時間は、麺の断面直径に応じて調整する。例えば、断面直径が４．３ミリメートルの麺を使用した場合は、１１分程度である。【００１７】茹で上げ後、水で締めた後、水切りし、１玉ごとに小分けし、前記常温とした出汁とともに袋状の包装材に充填し、急速冷凍する。【００１８】本考案の袋入り冷凍出汁入りうどんは、食する場合には、包装材のまま４分間湯煎したあと、包装材から器に盛り付けるだけでよい。
【産業上の利用可能性】
【００１９】本考案の袋入り冷凍出汁入りうどんは、長期の保存が可能であり、また簡単に調理できることから、いつでも手軽に専門店の味を家庭で楽しむことができる。
【符号の説明】
【００２０】１  袋状の包装材
２  うどんの出汁
３  うどんの麺
【図１】
0003231792.tif 000003